(57)【要約】【課題】構造が簡単で、かつ、照明により内側面に被写体などの影が発生しにくいボックス構造を提供する。【解決手段】１枚の段ボール５を折り曲げて構成される、前面及び上面がないボックス構造１であって、段ボール５の一部で形成される底部１０と、段ボール５を底部１０の一辺で、底部１０に対し鉛直方向の角度が９０度より大きな角度となるように折り曲げて形成される背面部２０と、段ボール５を背面部２０の正面視左辺で、底部１０に対し鉛直方向の角度が９０度より大きな角度となるように折り曲げて形成される左側面部３０と、段ボール５を背面部２０正面視右辺で、底部１０に対し鉛直方向の角度が９０度より大きな角度となるように折り曲げて形成される右側面部４０と、左側面部３０の底部１０と右側面部４０の底端部とを連結する連結部５０と、を備えたボックス構造１。【選択図】図１
2020042087.tif 000002
【特許請求の範囲】
【請求項１】
１枚のシート材を折り曲げて構成される、前面及び上面がないボックス構造であって、
前記１枚のシート材の一部で形成される底部と、
前記１枚のシート材を、前記底部の一辺で、前記底部に対し鉛直方向の角度が９０度より大きな角度となるように折り曲げて形成される背面部と、
前記１枚のシート材を、前記背面部の正面視左辺で、前記底部に対し鉛直方向の角度が９０度より大きな角度となるように折り曲げて形成される左側面部と、
前記１枚のシート材を前記背面部の正面視右辺で、前記底部に対し鉛直方向の角度が９０度より大きな角度となるように折り曲げて形成される右側面部と、
前記左側面部の底端部と前記右側面部の底端部とを連結する連結部と、
を備えたことを特徴とするボックス構造。
【請求項２】
請求項１に記載のボックス構造において、
前記連結部は、
前記１枚のシート材を前記左側面部の底辺で折り曲げ、かつ、先端部がかぎ状に形成された左結合部と、
前記１枚のシート材を前記右側面部の底辺で折り曲げ、かつ、先端部が前記左結合部のかぎ状部分に係合するように形成された右結合部と、
を備えていることを特徴とするボックス構造。
【請求項３】
請求項１又は請求項２に記載のボックス構造において、
前記１枚のシート材は、段ボール板であることを特徴とするボックス構造。
【発明の詳細な説明】
【技術分野】
【０００１】
本発明は、内面側に影ができにくい組立式のボックス構造に関する。
【背景技術】
【０００２】
従来、使用時には被写体を均一に照明するための光拡散用の箱体状に簡単に形成でき、不使用時にはパネル状に簡単に折りたたむことができる取り扱いが容易で保管時に嵩張らない構造の写真撮影用均一照明ユニットがある。
【０００３】
この写真撮影用均一照明ユニットは、被写体への照明光を拡散させるための一対の光拡散板、各光拡散板を保持するための保持フレーム、各保持フレームの上面側フレームに回動自在に軸支された上面側リンク、各保持フレームの背面側フレームに回動自在に軸支された背面側リンクなどで構成される。不使用時には、上面側リンク及び背面側リンクの中央部がそれぞれ内側に向けて折り曲げられ、各光拡散板の保持フレームが略重なった状態に近接されてコンパクトな形状に折りたたむことができる（例えば、特許文献１参照）。
【先行技術文献】
【特許文献】
【０００４】
【特許文献１】特開２００１−１７４８８５号公報
【発明の概要】
【発明が解決しようとする課題】
【０００５】
ところが、上記従来の写真撮影用均一照明ユニットでは、一対の光拡散板保持フレーム、上面側リンク及び背面側リンクなど複数の部材で構成され、しかも上面側リンクと背面側リンクは回転可能となるように保持フレームに軸支されているなど、構造が複雑である。また、対向した位置に配置されている一対の光拡散板で形成される光拡散用箱体の中央に被写体を置き、光拡散板に照明光を反射させて被写体に均一に照射し、光拡散用箱体の前方から被写体を撮影するようになっているが、照明光の照射角度が適切でない場合には、被写体の影ができるという問題もある。
【０００６】
本発明は、上述の課題の少なくとも一部を解決するためになされたものであり、構造が簡単で、かつ、照明により内側面に被写体などの影が発生しにくいボックス構造を提供することを目的とする。
【課題を解決するための手段】
【０００７】
本発明は、以下の適用例として実現することが可能である。なお、本欄における括弧内の参照符号や補足説明等は、本発明の理解を助けるために、後述する実施形態との対応関係を示したものであって、本発明を何ら限定するものではない。
【０００８】
［適用例１］
本発明に係るボックス構造（１）は、
１枚のシート材（５）を折り曲げて構成される、前面及び上面がないボックス構造（１）であって、
前記１枚のシート材（５）の一部で形成される底部（１０）と、
前記１枚のシート材（５）を前記底部（１０）の一辺で、前記底部（１０）に対し鉛直方向の角度が９０度より大きな角度となるように折り曲げて形成される背面部（２０）と、
前記１枚のシート材（５）を前記背面部（２０）の正面視左辺で、前記底部（１０）に対し鉛直方向の角度が９０度より大きな角度となるように折り曲げて形成される左側面部（３０）と、
前記１枚のシート材（５）を前記背面部（２０）の正面視右辺で、前記底部（１０）に対し鉛直方向の角度が９０度より大きな角度となるように折り曲げて形成される右側面部（４０）と、
前記左側面部（３０）の底端部と前記右側面部（４０）の底端部とを連結する連結部（５０）と、
を備えたことを要旨とする。
【０００９】
このようなボックス構造（１）は、背面部（２０）、左側面部（３０）及び右側面部（４０）がそれぞれ底部（１０）に対して鉛直方向の角度が９０度より大きな角度となっている。
【００１０】
したがって、底部（１０）上に被写体（３）などを載置し光を照射した場合、照射される光が底部（１０）、背面部（２０）、左側面部（３０）及び右側面部（４０）のいずれの面からも被写体（３）に対して下方から反射されるため、被写体（３）の影が発生しにくくなる。
【００１１】
また、１枚のシート材（５）を折り曲げて、底部（１０）、背面部（２０）、左側面部（３０）及び右側面部（４０）を形成し、左右側面部（３０，４０）の底端部を連結部（５０）で連結することにより、非常に簡易にボックス形状を組み立てることができるとともに、連結部（５０）の連結を解除することにより、１枚のシート材（５）を折り畳んだ状態で収納することができる。なお、正面視とは、開口している前面側から
【００１２】
［適用例２］
適用例２に記載のボックス構造（１）は、
適用例１に記載のボックス構造（１）において、
前記連結部（５０）は、
前記１枚のシート材（５）を前記左側面部（３０）の底辺で折り曲げ、かつ、先端部がかぎ状に形成された左結合部（５１）と、
前記１枚のシート材（５）を前記右側面部（４０）の底辺で折り曲げ、かつ、先端部が前記左結合部（５１）のかぎ状部分に係合するように形成された右結合部（５２）と、
を備えていることを要旨とする。
【００１３】
このようなボックス構造（１）では、連結部（５０）も１枚のシート材（５）を折り曲げ、先端部のかぎ状部分を係合させれば、ボックス形状を組み立てることができる。また、すべての部材が１枚のシート材（５）で形成されているため、１枚のシート材（５）を折り畳んだ状態で収納することができる。
【００１４】
［適用例３］
適用例３に記載のボックス構造（１）は、
適用例１又は適用例２に記載のボックス構造（１）において、
前記１枚のシート材（５）は、段ボール板であることを要旨とする。
【００１５】
このようなボックス構造（１）は、シート材（５）が段ボール板であるため、所定の強度を保ちつつ軽量化が可能となる。
【図面の簡単な説明】
【００１６】
【図１】ボックス構造を平面上に展開したときの平面図である。
【図２】撮影ボックス１の概略の構成を示す外観図である。
【図３】第２実施形態におけるボックス構造を平面上に展開したときの平面図である。
【発明を実施するための形態】
【００１７】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１８】
［第１実施形態］
（ボックス構造の構成）
図１及び図２に基づき、ボックス構造１の構成について説明する。図１は、ボックス構造１を形成するための段ボール板５を裁断したときの平面図であり、図２は、撮影ボックス１の概略の構成を示す外観図である。
【００１９】
ボックス構造１は、図１に示す１枚の段ボール板５を折り曲げて構成されるボックス構造１であって、底部１０、背面部２０、左側面部３０、右側面部４０及び連結部５０を備えている。また、図２に示すように前面及び上面は備えておらず、開放面になっている。
【００２０】
底部１０は、被写体３などを載置する部分であり、図１に示すように１枚の段ボール材５の下部に形成される等脚台形状の板状部分である。等脚台形状の底部１０の下底１０ａと左脚１０ｂ及び右脚１０ｃのなす角Ｒ１，Ｒ２がそれぞれ鋭角になっている。
【００２１】
背面部２０は、１枚の段ボール材５を底部１０の一辺で、底部１０に対し鉛直方向の角度が９０度より大きな角度（９５度〜１２０度程度が望ましい）となるように外側に折り曲げて形成される板状部分である。具体的には、図１に示すように、底部１０の上底１０ｄを上底２０ａとし（換言すれば、上底１０ｄと上底２０ａとを共通の折り曲げ線とし）、左脚２０ｂ、右脚２０ｃ、下底２０ｄとする等脚台形形状となっており、下底２０ｄと左脚２０ｂ及び右脚２０ｃのなす角Ｒ３，Ｒ４がそれぞれ鋭角になっている。
【００２２】
左側面部３０は、１枚の段ボール５を背面部２０の正面視左辺で、底部１０に対し鉛直方向の角度が９０度より大きな角度（９５度〜１２０度程度が望ましい）となるように外側に折り曲げて形成される部分である。
図１に示すように、左側面部３０は、背面部２０の左脚２０ｂと共通の折り曲げ線となる辺３０ｃ、辺３０ｃに対向する辺で端面となる端辺３０ｂ、背面部２０の下底２０ｄを延長した端辺３０ｄ及び左結合部５１と共通の折り曲げ線となる辺３０ａとから構成される略長方形状の板状部分である。なお、端辺３０ｂと端辺３０ｄとが成す角部はＲ形状に形成されている。
【００２３】
右側面部４０は、１枚の段ボール５を背面部２０の正面視右辺で、底部１０に対し鉛直方向の角度が９０度（９５度〜１２０度程度が望ましい）より大きな角度となるように外側に折り曲げて形成される部分である。
図１に示すように、右側面部４０は、背面部２０の右脚２０ｃと共通の折り曲げ線となる辺４０ｂ、辺４０ｂに対向する辺で端面となる端辺４０ｃ、背面部２０の下底２０ｄを延長した端辺４０ｄ及び右結合部５２と共通の折り曲げ線となる辺４０ａとから構成される略長方形状の板状部分である。なお、端辺３０ｃと端辺４０ｄとが成す角部はＲ形状に形成されている。
【００２４】
連結部５０は、左側面部３０の底端部と右側面部４０の底端部とを連結する部分であり、左側面部３０と一体化された左結合部５１と右側面部と一体化された右結合部５２とから成る。
【００２５】
左結合部５１は、全体として略台形状の板状部分であり、１枚の段ボール板５を左側面部３０の辺３０ａと共通の折り曲げ線となる下底５１ｄ、左脚５１ｂ、右脚５１ｃ及び上底５１ａで構成されている。また、左脚５１ｂと上底５１ａとで成す角部にかぎ状の突起部５１ｅが形成されている。さらに、左結合部５１の右脚５１ｃと底部１０の左脚１０ｂとは切り離されている。
【００２６】
右結合部５１は、全体として略台形状の板状部分であり、１枚の段ボール板５を右側面部４０の辺４０ａと共通の折り曲げ線となる下底５２ｄ、左脚５２ｂ、右脚５２ｃ及び上底５２ａで構成されている。また、左脚５２ｂと上底５２ａとで成す角部にかぎ状の突起部５２ｅが形成されている。さらに、右結合部５２の左脚５２ｂと底部１０の右脚１０ｃとは切り離されている。
【００２７】
ここで、左結合部５１の右脚５１ｃと底部１０の左脚１０ｂとは切り離されているものの、ほぼ接触している状態であるが、右結合部５２の左脚５２ｂと底部１０の右脚１０ｃとは、離隔している。このようにすることで、背面部２０、左側面部３０及び右側面部４０が底面１０に対して垂直方向に９０度より大きい角度（９５度〜１２０度程度）で傾斜することができるようになっている。
【００２８】
なお、底部１０、背面部２０、左側面部３０、右側面部４０、左結合部５１及び右結合部５２の各辺や脚の寸法は、被写体などボックス構造１の底部１０上に載置される物の大きさなどによって決定すればよい。
【００２９】
（ボックス構造の組立手順）
次に、図１及び図２に基づき、ボックス構造１の組立手順について説明する。ボックス構造１は、下記（１）〜（６）に従って組み立てる。
【００３０】
（１）図１に示すように、先ず、底部１０と背面部２０との間の共通の折り曲げ線である上底１０ｄと上底２０ａ（図１中破線で示す）が谷折りとなるように、底部１０を折り曲げる。
（２）左側面部３０と左結合部５１との間の共通の折り曲げ線である辺３０ａと下底５１ｄ（図１中破線で示す）が谷折りとなるように、左結合部５１を折り曲げる。
（３）右側面部４０と右結合部５２との間の共通の折り曲げ線である辺３４ａと下底５２ｄ（図１中破線で示す）が谷折りとなるように、右結合部５２を折り曲げる。
【００３１】
（４）左結合部５１を折り曲げた状態で、左側面部３０と背面部２０との間の共通の折り曲げ線である辺３０ｃと左脚２０ｂ（図１中破線で示す）が谷折りとなるように左側面部３０を折り曲げる。このとき、左結合部５１が底部１０の下側となるようにする。
【００３２】
（５）右結合部５２を折り曲げた状態で、右側面部４０と背面部２０との間の共通の折り曲げ線である辺４０ｂと右脚２０ｃ（図１中破線で示す）が谷折りとなるように右側面部４０を折り曲げる。このとき、右結合部５２が底部１０の下側となるようにする。
【００３３】
（６）左結合部５１の突起部５１ｅと右結合部５２の突起部５２ｅを係合させ、撮影用ボックス１を形成する。
このようにして組み立てたボックス構造１の外観図を図２に示す。
【００３４】
（ボックス構造の特徴）
以上に説明したボックス構造１は、背面部２０、左側面部３０及び右側面部４０がそれぞれ底部１０に対して鉛直方向の角度が９０度より大きな角度となっている。したがって、底部１０上に被写体３を載置して光を照射した場合、照射される光が底部１０、背面部２０、左側面部３０及び右側面部４０のいずれの面からも被写体３に対して下方から反射されるため、被写体３の影が発生しにくくなる。
【００３５】
また、１枚の段ボール板５を折り曲げて底部１０、背面部２０、左側面部３０、右側面部４０、左結合部５１及び右結合部５２を形成し、左右側面部３０，４０の底端部を左右連結部５１，５２で連結することにより、非常に簡易にボックス形状を組み立てることができる。
【００３６】
また、左右結合部５１，５２の連結を解除することにより、１枚の段ボール材５を折り畳んだ状態で収納することができる。
さらに、シート材５として段ボールを使用しているため、所定の強度を保ちつつ軽量化が可能となる。
【００３７】
［第２実施形態］
次に図３に基づき、第２実施形態の撮像用ボックス２について説明する。図３は、第２実施形態におけるボックス構造２を平面上に展開したときの平面図である。
【００３８】
第２実施形態におけるボックス構造２は、第１実施形態におけるボックス構造１の結合部５０を段ボール５の左結合部５１及び右結合部５２で形成する代わりに、ゴムなど弾性体で形成している以外は第１実施形態におけるボックス構造１と同じ構成であるため、同じ構成には同じ符号を付して、その説明を省略する。
【００３９】
第２実施形態におけるボックス構造２の結合部５０は、左結合部５１として、左側面部３０の下端先端部の近傍に設けた孔５１ｆとその孔５１ｆに挿通したゴム５１ｇ、ゴム５１ｇの先端に取り付けた金属製又は樹脂製のフック５１ｈ及び右結合部５２として、右側面部４０の下端先端部の近傍に設けた孔５１ｉを備えている。
【００４０】
そして、第１実施形態におけるボックス構造１の組み立て手順の（６）において、左結合部５１の突起部５１ｅと右結合部５２の突起部５２ｅを係合させる代わりに、フック５１ｈを孔５１ｉに引っ掛けて、ゴム５１ｇの弾性力によってボックス構造２を形成する。
【００４１】
このようなボックス構造２においても第１実施形態におけるボックス構造１と同様に、被写体３の影できにくく、軽量で折り畳んで収納ができるボックス構造とすることができる。
【００４２】
［その他の実施形態］
（１）上記実施形態では、ボックス構造１，２を、底部１０に被写体３を載置して撮影するために用いたが、床の上に設置して、人がボックス内に入って休息するために使用した場合には、ボックス内に影ができにくいため、ボックス内の人が落ち着けるとともにプライバシーを保つことも可能となる。
【００４３】
（２）また、ボックス構造１，２を、机の上に設置して、人がボックス内で学習や事務作業を行うようにしてもよい。この場合も、ボックス内に影ができにくいため、ボックス内の人が落ち着いて学習や事務作業ができるとともに防音効果も得ることができる。
【００４４】
（３）上記実施形態では、シート材５として段ボールを用いていたが、段ボール以外の材料でも折り曲げ可能な材料、例えば、樹脂材を用い、折り込みを容易にするための切り込みや凹部を形成したものであってもよい。
【００４５】
（４）上記実施形態では、段ボール板５を、図１及び図３に示す展開図の形状となるように裁断していたが、底部１０に対して背面部２０、左側面部３０及び右側面部４０の垂直方向の角度が９０度より大きくなるのであれば、他の形状に裁断してもよい。
【００４６】
（５）上記実施形態において、ボックス構造１，２の組み立ての際、谷折りにした部分を山折りにしてもよい。
【符号の説明】
【００４７】
１，２… ボックス構造  ５… シート材（段ボール板）  １０… 底部  ２０… 背面部  ３０… 左側面部  ４０… 右側面部  ５０… 連結部  ５１… 左結合部  ５２… 右結合部。
【図１】
2020042087.tif 000003
【図２】
2020042087.tif 000004
【図３】
2020042087.tif 000005